(57)【要約】【課題】ねぶた祭り用衣装を提供すること。【解決手段】  ねぶた祭り用衣装１は、前身頃を重ねたときに、右前身頃と左前身頃の間が裾部分において三角形状に開くように、右前身頃と左前身頃の形状を、襟先から裾方向に向けて斜めの直線を形成するように構成し、袖の形状を、浴衣の袖をたくし上げた状態を模した形状とした。【選択図】図１
2017214675.tif 000002
【特許請求の範囲】
【請求項１】
前身頃を重ねたときに、右前身頃と左前身頃の間が裾側を底辺とする三角形状に開くように、前記右前身頃と左前身頃の形状を、襟先から裾方向に向けて斜めの直線を形成するように構成し、
袖の形状を、浴衣の袖をたくし上げた状態を模した形状としたことを特徴とするねぶた祭り用衣装。
【請求項２】
請求項１に記載のねぶた祭り用衣装において、
後見頃の身幅を、浴衣の後見頃の身幅よりも短くしたことを特徴とするねぶた祭り用衣装。
【請求項３】
請求項１または２に記載のねぶた祭り用衣装において、
おこしを筒状にし、腰部分の周方向に弾性体を備えたスカート型おこしをさらに備えることを特徴とするねぶた祭り用衣装。
【発明の詳細な説明】
【技術分野】
【０００１】
本発明は、ねぶた祭り用衣装に関する。
【背景技術】
【０００２】
従来、ねぶた祭りの衣装は、おこしを腰に巻いて浴衣を着用した上で腰ひもを巻き、浴衣の前面を開いて裾を腰ひもに折り込むことで、前面のかたちを整える必要があった。また、袖をまくり上げてからたすきをかけることで、袖部分のかたちを整える必要があった。このように、ねぶた祭りの衣装は、浴衣を決まった手順で着付ける必要があるため、従来は、着付け技術を持った着付け者が必要になる上、一人当たりの着付け時間も要していた。浴衣の着付けを容易にするための技術としては、次のようなゴムとホックで着る浴衣と帯が知られている。このゴムとホックで着る浴衣と帯では、留め具としてゴムとホックを用いることによって、浴衣を簡単に着用できるようにしている。（例えば、特許文献１）。
【先行技術文献】
【特許文献】
【０００３】
【特許文献１】特開２００３−８９９０４号公報
【発明の概要】
【発明が解決しようとする課題】
【０００４】
しかしながら、従来のゴムとホックで着る浴衣と帯においては、ねぶた祭り用の衣装を容易に着用する方法については、何ら検討されていなかった。
【課題を解決するための手段】
【０００５】
本発明によるねぶた祭り用衣装は、前身頃を重ねたときに、右前身頃と左前身頃の間が裾部分において三角形状に開くように、右前身頃と左前身頃の形状を、襟先から裾方向に向けて斜めの直線を形成するように構成し、袖の形状を、浴衣の袖をたくし上げた状態を模した形状としたことを特徴とする。
【発明の効果】
【０００６】
本発明によれば、着用するだけでねぶた祭り用衣装のデザインとなるように構成されたねぶた祭り用衣装を提供することができるため、着付け時間を短縮することができる。また、特別な着付け技術を持った着付け者がいなくても、ねぶた祭り用の衣装を着ることができる。
【図面の簡単な説明】
【０００７】
【図１】ねぶた祭り用衣装１の前面の形状を模式的に示した図である。
【図２】ねぶた祭り用衣装１の背面の形状を模式的に示した図である。
【図３】一般的な浴衣の前面の形状を模式的に示した図である。
【図４】一般的な浴衣の背面の形状を模式的に示した図である。
【図５】ねぶた祭り用衣装１の寸法例を示した第一の図である。
【図６】ねぶた祭り用衣装１の寸法例を示した第二の図である。
【図７】スカート型おこし２の形状を模式的に示した図である。
【図８】ねぶた祭り用衣装１とスカート型おこし２を組み合わせた場合の前面のデザインイメージ図である。
【図９】ねぶた祭り用衣装１とスカート型おこし２を組み合わせた場合の背面のデザインイメージ図である。
【図１０】着付け後のねぶた祭り用衣装の前面イメージ図である。
【図１１】着付け後のねぶた祭り用衣装の背面イメージ図である。
【発明を実施するための形態】
【０００８】
図１は、本実施の形態におけるねぶた祭り用衣装１の前面の形状を模式的に示した図である。また、図２は、本実施の形態におけるねぶた祭り用衣装１の背面の形状を模式的に示した図である。図１及び図２に示すねぶた祭り用衣装１においては、ねぶた祭り用衣装としての着付けのしやすさを考慮し、図３及び図４に示す一般的な浴衣に対して改良が加えられている。
【０００９】
一般的に、ねぶた祭りの衣装は、図３及び図４に示す一般的な浴衣を用い、特殊な着付け方法によって着付けが行われる。一般的な浴衣を用いたねぶた祭りの衣装の着付け方法は公知のため、詳細な説明は省略するが、一例を挙げると次のようになる。
【００１０】
対象者の腰におこしを巻き、後ろで紐を結ぶ。次に、対象者に浴衣を着せて、浴衣の左右の腰付近を持ち上げて腰ひもに挟み、浴衣の前を開く。帯を腰に巻いて結ぶ。袖をたくし上げ、肩からわきの下を通すかたちでたすきをかけ、後ろで結ぶ。
【００１１】
このように、浴衣を用いたねぶた祭りの衣装は、浴衣の前を開いて腰ひもで固定するための作業や、袖をたくし上げて、たすきで固定する作業など、ねぶた祭りの衣装に特有な着付け方法が存在していた。このため、ねぶた祭りの衣装の着付けに当たっては、着付け方法を熟知した着付け者が必要になる上、着付けに時間を要するという課題があった。
【００１２】
本実施の形態におけるねぶた祭り用衣装においては、ねぶた祭り用衣装１を図１及び図２に示すような構成としたことにより、容易かつ短時間でねぶた祭りに参加するための衣装を着ることができる。すなわち、本実施の形態におけるねぶた祭り用衣装１においては、着用時に前身頃を重ねたときに、右前身頃と左前身頃の間が裾側を底辺とする三角形状に開くように、右前身頃と左前身頃の形状を、襟先から裾方向に向けて斜めの直線を形成するように構成している。また、袖の形状を、浴衣の袖をたくし上げた状態を模した形状としている。これによって、対象者は、ねぶた祭り用衣装１を着るだけで、浴衣の前を開いて腰ひもで固定したり、袖をたくし上げたりしなくても、ねぶた祭り用の衣装に特有の裾の前が開いた形状、かつ袖をたくし上げた形状を作ることができる。
【００１３】
ねぶた祭り用衣装１は、着用者の身長や体形などによって適切なサイズのものを選択できるように複数のサイズバリエーションをもたせてもよいし、より多くの着用者に対応できるようにフリーサイズとしてもよい。このように、ねぶた祭り用衣装１のサイズは特に限定されるものではないが、一般的な大人用のサイズとして、例えば、図５及び図６に示すようなサイズとしてもよい。
【００１４】
図５に示した例では、一般的な浴衣の袖と比較すると、袖５ａが水平方向に設けられており、かつ袖の長さが短く設計されている。これによって、着用時の袖５ａの形状を一般的な浴衣の袖をたくし上げた状態を模した形状とすることができる。また、図５に示した例では、着用時に右前身頃５ｂと左前身頃５ｃとのなす角が略５５度となるように、右前身頃５ｂと左前身頃５ｃの形状を、襟先５ｆから裾方向に向けて斜めの直線５ｄを形成するように構成されている。これによって、着用のために前身頃を重ねたときに、右前身頃の直線５ｄと左前身頃の直線５ｄとが、裾位置を底辺とする三角形状５ｅを構成するようになる。なお、図５に示す例では、襟先５ｆから裾方向に向けての斜めの直線５ｄは、垂直方向とのなす角が略３０度に設計されている。
【００１５】
図６に示す例では、ねぶた祭り用衣装１の後見頃の身幅は５８ｃｍとなっている。このように、一般的な浴衣と比較して後見頃の身幅を狭めたことにより、特別な着付け技術を有さなくても、ねぶた祭り用の衣装特有の浴衣を細身に着用したデザインを再現することができる。
【００１６】
本実施の形態におけるねぶた祭り用衣装１では、さらに、図７に示すように、ねぶた祭りの際に着用するおこしとして、布を筒状に構成し、腰の部分７ａの周方向にゴムなどの弾性体を通したスカート型のおこし２（以下「スカート型おこし２」と呼ぶ）を用いるようにしてもよい。これによって、従来の腰に巻いて紐で固定するタイプのおこしと比較して、容易かつ短時間でおこしも着用することができる。
【００１７】
図８は、ねぶた祭り用衣装１とスカート型おこし２を組み合わせた場合の前面のデザインイメージ図である。また、図９は、ねぶた祭り用衣装１とスカート型おこし２を組み合わせた場合の背面のデザインイメージ図である。図８及び図９に示すように、対象者は、スカート型おこし２を履き、ねぶた祭り用衣装１を羽織ることで、特別な着付け技術を有さなくても、ねぶた祭り用の衣装に特有の裾の前が開いた形状、かつ袖をたくし上げた形状となるように、衣装を着ることができる。
【００１８】
図１０は、着付け後のねぶた祭り用衣装の前面イメージ図である。また、図１１は、着付け後のねぶた祭り用衣装の背面イメージ図である。図１０及び図１１に示すように、対象者は、ねぶた祭り用衣装１の上から、腰位置に帯３を巻き、肩とわきの下を通すかたちでたすき４をかけた後、背中側でたすきを結ぶ。これによって、着用者は、ねぶた祭り用の衣装を着用することができる。
【００１９】
以上説明した本実施の形態によれば、以下のような作用効果を得ることができる。
（１）ねぶた祭り用衣装１は、前身頃を重ねたときに、右前身頃５ｂと左前身頃５ｃの間５ｅが裾側を底辺とする三角形状に開くように、右前身頃５ｃと左前身頃の形状を、襟先５ｆから裾方向に向けて斜めの直線５ｄを形成するように構成し、袖５ａの形状を、浴衣の袖をたくし上げた状態を模した形状とした。これによって、対象者は、ねぶた祭り用衣装１を着るだけで、浴衣の前を開いて腰ひもで固定したり、袖をたくし上げたりしなくても、ねぶた祭り用の衣装に特有の裾の前が開いた形状、かつ袖をたくし上げた形状を再現して、衣装を着ることができる。このため、ねぶた祭り衣装に特有の着付け技術を有さない着付け者でも、対象者にねぶた祭り衣装を着せることができる。さらに、簡易かつ短時間で着付けを完了することができる。
【００２０】
（２）後見頃の身幅を、浴衣の後見頃の身幅よりも短くした。これによって、一般的な浴衣と比較して後見頃の身幅が狭まるため、特別な着付け技術を有さなくても、ねぶた祭り用の衣装特有の細身の着こなしを再現することができる。
【００２１】
（３）布を筒状に構成し、腰部分７ａの周方向にゴムなどの弾性体を備えたスカート型おこしをさらに備えるようにした。これによって、おこしの着用も容易かつ短時間に完了することができる。
【００２２】
なお、本発明の特徴的な機能を損なわない限り、本発明は、上述した実施の形態における構成に何ら限定されない。
【符号の説明】
【００２３】
１  ねぶた祭り用衣装
２  スカート型おこし
３  帯
４  たすき
【図１】
2017214675.tif 000003
【図２】
2017214675.tif 000004
【図３】
2017214675.tif 000005
【図４】
2017214675.tif 000006
【図５】
2017214675.tif 000007
【図６】
2017214675.tif 000008
【図７】
2017214675.tif 000009
【図８】
2017214675.tif 000010
【図９】
2017214675.tif 000011
【図１０】
2017214675.tif 000012
【図１１】
2017214675.tif 000013